(57)【要約】【課題】  本発明は複数のコンテンツに共通する属性情報を抽出して、属性単位での切り替えができる車載オーディオ装置を提供する。【解決手段】  再生リストや属性情報を有す携帯型音楽再生装置１と接続する車載オーディオ装置２であって、車載オーディオ装置２の動作の制御を行うシステム管理部１１と接続する、再生リストを取得する再生リスト管理部４、属性情報を前記携帯型音楽再生装置から取得する属性情報管理部６、分類階層データを記録している分類階層管理部８、および、属性情報と分類階層データから下位共通属性情報を決定する分類属性抽出部１０および、共通属性情報を表示する表示部１５とを有するものである。これにより、トップメニュの最初まで戻らなくても、属性単位での切り替えができ、操作性が向上する効果を奏する。【選択図】図１
2011209581.tif 000002
【特許請求の範囲】
【請求項１】
携帯型音楽再生装置と接続し携帯型音楽再生装置より音楽データを取得する車載オーディオ装置であって、
前記携帯型音楽再生装置から再生リストを取得する再生リスト管理部と、
前記再生リスト管理部が取得した再生リストより前記携帯型音楽再生装置から再生リストの全曲分の属性情報を取得する属性情報管理部と、
前記属性情報管理部が取得した属性情報に応じた上位から下位概念の分類階層を記憶する分類階層管理部と、
前記再生リスト管理部、前記属性情報管理部、および、前記分類階層管理部と接続し
各々の動作を制御するシステム管理部からなり、
前記システム管理部に接続し、前記属性情報管理部が取得した属性情報のうち共通する属性情報である共通属性情報を抽出するとともに、前記共通属性情報を前記分類階層管理部に記憶している分類階層に応じて分類し最下位の概念となる下位共通属性情報を抽出する分類属性抽出部をさらに備え、
前記分類属性抽出部で抽出した下位共通属性情報を表示部に表示する車載オーディオ装置。
【発明の詳細な説明】
【技術分野】
【０００１】
本発明は複数のコンテンツに共通する属性情報を抽出して、属性情報単位での切り替えができる車載オーディオ装置に関するものである。
【背景技術】
【０００２】
従来の車載オーディオ装置で、携帯型音楽再生装置と接続し携帯型音楽再生装置の曲を再生するものが知られている。（例えば特許文献１参照）。
【０００３】
携帯型音楽再生装置に記録されている曲は、大量のＭＰＥＧ３形式の音楽データに複数の属性情報として、例えば、Ｐｌａｙｌｉｓｔ（プレイリスト）、Ｇｅｎｒｅ（ジャンル名）、Ａｒｔｉｓｔ（アーティスト名）、Ａｌｂｕｍ（アルバム名）、Ｃｏｍｐｏｓｅｒ（作曲者）、および、Ｓｏｎｇ（各曲のタイトル）が記録されている。
【先行技術文献】
【特許文献】
【０００４】
【特許文献１】特開２００２−０２３７７１号公報（第５−７頁、第１図）
【発明の概要】
【発明が解決しようとする課題】
【０００５】
しかしながら、車載オーディオ装置と、携帯型音楽再生装置と接続して携帯型音楽再生装置内の音楽データを車内で再生する場合、再生途中の曲がどの属性情報で再生中であるかの属性情報は接続時に携帯型音楽再生装置から車載オーディオ装置に送信されない。
【０００６】
そのため、車載オーディオ装置で曲を変更するときに属性情報がわからないため、例えば、アルバムＡやアルバムＢなどの属性情報単位での切り替えができず、わざわざトップメニュの最初まで戻らなければ曲を変更できなかった。このため車載オーディオ装置での選曲操作が複雑になるという問題があった。
【０００７】
本発明は、従来の問題を解決するもので、再生リストを取得することで、わざわざトップメニュまで戻らなくても、属性情報単位での切り替えができ、操作性を向上する車載オーディオ装置を提供することを目的とする。
【課題を解決するための手段】
【０００８】
上記目的を達成するために本発明は、システム管理部に接続し属性情報管理部が取得した属性情報のうち共通する属性情報である共通属性情報を抽出するとともに、共通属性情報を前記分類階層管理部に記憶している分類階層に応じて分類し最下位の概念となる下位共通属性情報を抽出する分類属性抽出部をさらに備え、分類属性抽出部で抽出した下位共通属性情報を表示部に表示するものである。
【発明の効果】
【０００９】
本発明は、属性情報管理部が取得した属性情報のうち共通する属性情報である共通属性情報を抽出し、共通属性情報を分類階層管理部に記憶している分類階層に応じて分類し最下位の概念となる下位共通属性情報を抽出し、下位共通属性情報を表示部に表示することができ、トップメニュの最初まで戻らなくても、属性情報単位での切り替えができ、操作性が向上する効果を奏する。
【図面の簡単な説明】
【００１０】
【図１】本発明の一実施の形態における車載オーディオ装置のブロック図
【図２】本発明の一実施の形態における車載オーディオ装置の再生リストを説明する図
【図３】本発明の一実施の形態における車載オーディオ装置の属性情報リストを説明する図
【図４】本発明の一実施の形態における車載オーディオ装置の分類階層を説明する図
【図５】本発明の一実施の形態における車載オーディオ装置の動作説明のためのフロー図
【図６】本発明の一実施の形態における車載オーディオ装置の属性情報名を表示した基本再生画面の図
【発明を実施するための形態】
【００１１】
以下、本発明の一実施の形態における車載オーディオ装置について図面を参照しながら説明する。
図１は、本発明の一実施の形態における車載オーディオ装置のブロック図である。
【００１２】
図１において、携帯型音楽再生装置１と車載オーディオ装置２とは有線または、無線通信にて接続している。この際、携帯型音楽再生装置１はｉＰｏｄやＳＤ−Ａｕｄｉｏのいずれか等である。
【００１３】
この携帯型音楽再生装置１は音楽ファイルをＭＰＥＧによる音声圧縮形式でのＭＰＧ３ファイルや、ＡＡＣなどで記録している。この携帯型音楽再生装置１の音楽ファイルは、Ｐｌａｙｌｉｓｔ（プレイリスト）、Ｇｅｎｒｅ（ジャンル名）、Ａｒｔｉｓｔ（アーティスト名）、Ａｌｂｕｍ（アルバム名）、Ｃｏｍｐｏｓｅｒ（作曲者）、および、Ｓｏｎｇ（各曲のタイトル）である。
【００１４】
３はドライバーで、携帯型音楽再生装置１と接続し、携帯型音楽装置１を動作させる。
【００１５】
４は再生リスト管理部で、ドライバ３と接続し、携帯型音楽再生装置１内の再生リストをドライバ３を介して取得する。
【００１６】
図２は本発明の一実施の形態における車載オーディオ装置の再生リスト説明する図である。再生リストとは現在再生しているＩＮＤＥＸと曲のＴＩＴＬＥをリスト化しているものである。この再生リストの場合、ＩＮＤＥＸ１はＳｏｎｇ１、ＩＮＤＥＸ２はＳｏｎｇ２、ＩＮＤＥＸ３はＳｏｎｇ３でる。
６は属性情報管理部でドライバ３に接続する。
【００１７】
再生リスト管理部４が取得した再生リストに含まれる全曲の属性情報を携帯型音楽再生装置１よりドライバ３を介して取得する。図３は本発明の一実施の形態における車載オーディオ装置の属性情報リストを説明する図である。
【００１８】
図３は図２の再生リストの各ＩＮＤＥＸの属性情報として、Ｐｌａｙｌｉｓｔ（プレイリスト）、Ｇｅｎｒｅ（ジャンル名）、Ａｒｔｉｓｔ（アーティスト名）、Ａｌｂｕｍ（アルバム名）、Ｃｏｍｐｏｓｅｒ（作曲者）、および、Ｓｏｎｇ（各曲のタイトル）がある。
【００１９】
例えば、ＩＮＤＥＸ１はＰｌａｙｌｉｓｔＡ、ＧｅｎｒｅＢ、ＡｒｔｉｓｔＡ、ＡｌｂｕｍＡ、ＣｏｍｐｏｓｅｒＣ、および、Ｓｏｎｇ１であり、ＩＮＤＥＸ３はＰｌａｙｌｉｓｔＢ、ＧｅｎｒｅＡ、ＡｒｔｉｓｔＡ、ＡｌｂｕｍＡ、ＣｏｍｐｏｓｅｒＡおよび、Ｓｏｎｇ３である。ＩＮＤＥＸ１とＩＮＤＥＸ３を比較すると、同じ属性情報はＡｒｔｉｓｔ
Ａ、ＡｌｂｕｍＡである。
【００２０】
１１はシステム管理部で、再生リスト管理部４と属性情報管理部６と接続される。このシステム管理部１１は携帯型音楽再生装置１と車載オーディオ装置２が接続されたことの検知、携帯型音楽再生装置１内の再生リストを取得する指示を再生リスト管理部４へ指示、携帯型音楽再生装置１内の再生リストの全曲の属性情報を取得の指示を属性情報管理部６へ指示などの各々の構成の制御を行う。
【００２１】
８は分類階層管理部で、システム管理部１１と接続し、あらかじめ属性情報の分類階層を車管理するものである。
【００２２】
図４は本発明の一実施の形態における車載オーディオ装置の分類階層を説明する図である。図４（ａ）は携帯型音楽再生装置１の曲を検索するための階層構造と階層間の上位と下位の関係を示している。階層の上位より、Ｐｌａｙｌｉｓｔ、Ｇｅｎｒｅ、Ａｒｔｉｓｔ、Ｃｏｍｐｏｓｅｒ、Ａｌｂｕｍ、および、Ｓｏｎｇとなっている。
【００２３】
図４（ｂ）は分類属性情報の階層構造を示す。例えば、第１階層にはＧｅｎｒｅ、Ａｒｔｉｓｔ、Ａｌｂｕｍ、Ｓｏｎｇ、Ｃｏｍｐｏｓｅｒ、および、Ｐｌａｙｌｉｓｔがある。また、第１階層がＧｅｎｒｅの場合、第２階層にはＧｅｎｒｅ一覧、第３階層にはＡｒｔｉｓｔ一覧、第４階層にはＡｌｂｕｍ一覧、第５階層にはＳｏｎｇ一覧の階層となり、同様にＡｒｔｉｓｔ、Ａｌｂｕｍ、Ｓｏｎｇ、Ｃｏｍｐｏｓｅｒ、および、Ｐｌａｙｌｉｓｔにも図４に示す階層をそれぞれ有している。
【００２４】
１０は分類属性抽出部で、システム管理部１１と接続しする。この分類属性抽出部１０は属性情報管理部６が記録している再生リスト全曲の属性情報と、分類階層管理部８が記録している分類階層から、現在、再生している再生リスト全曲すべてに共通する属性情報を抽出する。例えば図３で説明すると、ＡｒｔｉｓｔＡとＡｌｕｂｕｍＡが共通する属性情報（以後「共通属性情報」とする）である。
【００２５】
１４は入力部でシステム管理部１１と接続している。操作者からの釦等の入力信号を出力するものである。
【００２６】
１５は表示部でシステム管理部１１と接続している。表示部１５で再生属性情報、Ｓｏｎｇ名、Ａｌｂｕｍ名等を表示部１５の画面２０に表示する。
【００２７】
以上のように構成された車載オーディオ装置２について、以下にその動作を説明する。
図５は本発明の一実施の形態における車載オーディオ装置の動作説明のためのフロー図である。
【００２８】
まず、ステップ１において、操作者が携帯型音楽再生装置１を車載オーディオ装置２に接続するとシステム管理部１１が接続を検知する。
次に、ステップ２において、再生リスト管理部４はドライバ部３を経由して携帯型音楽再生装置１内の再生リストを取得する。
【００２９】
次に、ステップ３において、属性情報管理部６が再生リスト管理部４の再生リストより、ドライバ部３を経由して携帯型音楽再生装置１内の再生リスト内の全曲の属性情報を取得する。
【００３０】
次に、ステップ４において、分類属性抽出部１０は属性情報管理部６内の属性情報を参照し、再生リスト内の全曲の共通の属性情報から共通している属性情報を抽出する。
【００３１】
次に、ステップ５において、分類属性抽出部１０は再生リスト内の共通属性情報が複数かどうかを判断する。例えば、図２に示す再生リストの属性情報が図３とすると、再生リスト内の共通の属性情報はＡｒｔｉｓｔの「ＡｒｔｉｓｔＡ」とＡｌｂｕｍの「ＡｌｂｕｍＡ」となる。これより、複数の共通属性情報、ＡｒｔｉｓｔＡとＡｌｂｕｍＡが抽出される。ステップ５において、分類属性抽出部１０で共通属性情報が複数あるか否かを判断する。ステップ５で共通属性情報が複数ある場合はステップ６に進む。
【００３２】
次に、ステップ６において、分類属性抽出部１０は複数の共通属性情報の属性情報の上位、下位を分類階層管理部８が保持している分類階層（図４）に従って比較し、下位属性に位置する属性情報を下位共通属性情報とする。例えば、図４に示す分類階層を参照しＡｒｔｉｓｔとＡｌｂｕｍを比較すると、ＡｒｔｉｓｔよりもＡｌｂｕｍが下位属性となるため、下位共通属性情報はＡｌｂｕｍＡと決定される。
【００３３】
次に、ステップ５に戻り分類属性抽出部１０で共通属性情報が複数でない場合はステップ７に進む。
【００３４】
次に、ステップ７において、共通属性情報の中に下位共通属性情報の再生リストの属性情報名を表示部１５に表示する。例えば、図３に示す属性情報の場合、共通属性情報はＳｏｎｇではなく、「ＡｌｂｕｍＡ」となり、「ＡｌｂｕｍＡ」が表示部１５に表示される。また、ステップ５で共通属性情報が複数でなく、１つの場合はその共通属性情報を表示部１５に表示する。
【００３５】
図６は本発明の一実施の形態における車載オーディオ装置の属性情報名を表示した基本再生画面の図である。ステップ７の車載オーディオ装置２に接続された携帯型音楽再生装置１を再生している時の表示部１５に表示されている画面２０の図である。図６において表示部１５の画面２０には、属性情報名表示部２１、曲数表示部２２、演奏時間表示部２３、曲名表示部２４、アルバム名表示部２５、アーティスト名表示部２６が表示される。属性情報名表示部２１は車載オーディオ装置２に携帯型音楽再生装置１が接続したときに判別した属性情報名「Ａｌｂｕｍ  Ａ」を表示する。曲数表示部２２は現在再生中リスト内の総曲数「全９曲」と現在再生中の曲番号「１曲目」を表示している。演奏時間表示部２３は現在再生している曲の再生時間「３分５６秒」を示す。曲名表示部２４は再生している曲名を「Ｓｏｎｇ１」示す。アルバム名表示部２５は再生している曲が入っているアルバム名「Ａｌｂｕｍ  Ａ」を示す。アーティスト名表示部２６は、再生している曲のアーティスト名「Ａｒｔｉｓｔ  Ａ」を表示している。
【００３６】
このように、属性情報名表示部２１は車載オーディオ装置２に携帯型音楽再生装置１が接続したときに判別した属性情報名「Ａｌｂｕｍ  Ａ」を表示部１５に表示する。
【００３７】
このような本発明の実施の形態の車載オーディオ装置２によれば、携帯型音楽再生装置１から提供される再生リストと属性情報、車載オーディオ装置２内に事前に記録している分類階層データの階層構造の上下関係を用いて絞込みを行う分類属性抽出部１０を設けることにより、分類属性抽出部１０で再生中の曲の属性情報が特定でき、属性情報単位での切り替えができ、操作性が向上する効果を奏する。
【産業上の利用可能性】
【００３８】
以上のように、本発明にかかる車載オーディオ装置は、車載オーディオ装置と携帯型音楽再生装置を接続し、携帯型音楽再生装置から提供される再生リストと属性情報、車載オーディオプレーヤ内に事前に記録している分類階層データから共通属性情報を抽出することで、再生を開始する曲リストがどの属性情報により分類されているのかを特定する車載オ
ーディオ装置等として有用である。
【符号の説明】
【００３９】
１  携帯型音楽再生装置
２  車載オーディオ装置
４  再生リスト管理部
６  属性情報管理部
８  分類階層管理部
１０  分類属性抽出部
１１  システム管理部
１５  表示部
【図１】
2011209581.tif 000003
【図２】
2011209581.tif 000004
【図３】
2011209581.tif 000005
【図４】
2011209581.tif 000006
【図５】
2011209581.tif 000007
【図６】
2011209581.tif 000008